(57)【特許請求の範囲】
【請求項１】
電池ホルダを収納するためのケース部と、
前記ケース部の内面であって前記電池ホルダの周面に形成された突部と当接する位置に形成され、衝撃に応じて弾性変形するように構成された変形部と
を備える電池収納ケース。
【請求項２】
前記変形部は、前記ケース部の内側から外側に向かう方向に弾性変形するように構成された請求項１に記載の電池収納ケース。
【請求項３】
前記変形部は、第１の突条部と、第２の突条部と、前記第１の突条部と前記第２の突条部とにより形成される対向間隙と、前記対向間隙と連通する空洞部とを備え、前記第１の突条部と前記第２の突条部とが前記空洞部に向かう方向に弾性変形するように構成された請求項１または２に記載の電池収納ケース。
【請求項４】
前記ケース部は、分離可能な第１のケース部および第２のケース部により構成され、少なくとも一方のケース部の内面に前記変形部が形成される請求項１乃至３のいずれか１項に記載の電池収納ケース。
【請求項５】
電池セルと、
前記電池セルを収納する電池セル収納部を複数、備える電池ホルダと、
前記電池ホルダを収納するケース部と、
前記ケース部の内面であって一の前記電池セル収納部の周面と他の前記電池セル収納部の周面との間に形成された突部と当接する位置に形成され、衝撃に応じて弾性変形するように構成された変形部と
を備える電池パック。
【請求項６】
前記変形部は、前記ケース部の内側から外側に向かう方向に弾性変形するように構成された請求項５に記載の電池パック。
【請求項７】
前記変形部は、第１の突条部と、第２の突条部と、前記第１の突条部と前記第２の突条部とにより形成される対向間隙と、前記対向間隙と連通する空洞部とを備え、前記第１の突条部と前記第２の突条部とが前記空洞部に向かう方向に弾性変形するように構成された請求項５または６に記載の電池パック。
【請求項８】
前記ケース部は、分離可能な第１のケース部および第２のケース部により構成され、少なくとも一方のケース部の内面に前記変形部が形成される請求項５乃至７のいずれか１項に記載の電池パック。
【発明の詳細な説明】
【技術分野】
【０００１】
本開示は、電子機器、電動車両、電動工具などに適用可能な電池パックの電池収納ケース、電池パック、電池パックを適用した蓄電システム、電子機器、電動車両および電力システムに関する。
【背景技術】
【０００２】
リチウムイオンのドープ・脱ドープを利用したリチウムイオン二次電池が使用されている。リチウムイオン二次電池の電池セル（単電池やセルとも称される。）が複数個接続されることで、電池セル群が形成される。電池セル群を構成する電池セルが相互に接続され、電池モジュールが形成される。１または複数の電池モジュールが外装ケースに収納されることで電池パックが形成される。リチウムイオン二次電池の電池パックは、パーソナルコンピュータ、携帯電話などの電子機器、電動車両、電動工具など幅広く使用されている。
【０００３】
電池パックの落下等に起因する衝撃が、電池パックに対して加わることがある。外部からの衝撃が電池パック内の電池セルに伝播すると、電池セルの漏液や変形の原因になる。したがって、電池パックの耐衝撃性を向上させ、外部からの衝撃が電池セルに伝播されないようにすることが望ましい。下記特許文献１には、電池パックの内部に緩衝材を挿入し、緩衝材によって電池パックに加わる衝撃を吸収させる技術が記載されている。
【先行技術文献】
【特許文献】
【０００４】
【特許文献１】特開平１１−０４５６９１号公報
【発明の概要】
【発明が解決しようとする課題】
【０００５】
特許文献１に記載の技術は、緩衝材を使用するため製造コストの面で不利であり、電池パックの製造工程数が増加する問題があった。緩衝材を使用しない場合には、例えば、衝撃を減衰させるリブを設けることが考えられる。しかしながら、従来は、リブが直接、電池セルと接触していた。このため、外部からの衝撃がリブを介して直接、電池セルに伝播してしまう問題があった。
【０００６】
したがって、本開示の目的の一つは、緩衝材を使用することなく、耐衝撃性に優れる電池収納ケース、電池パックを提供することにあり、電池パックが適用される蓄電システム、電子機器、電動車両および電力システムを提供することにある。
【課題を解決するための手段】
【０００７】
上述した課題を解決するために、本開示は、例えば
電池ホルダを収納するためのケース部と、
ケース部の内面であって電池ホルダの周面に形成された突部と当接する位置に形成され、衝撃に応じて弾性変形するように構成された変形部と
を備える電池収納ケースである。
【００１０】
本開示は、例えば、
電池セルと、
電池セルを収納する電池セル収納部を複数、備える電池ホルダと、
電池ホルダを収納するケース部と、
ケース部の内面であって一の電池セル収納部の周面と他の電池セル収納部の周面との間に形成された突部と当接する位置に形成され、衝撃に応じて弾性変形するように構成された変形部と
を備える電池パックである。
【発明の効果】
【００１１】
少なくとも一つの実施形態によれば、緩衝材を使用することなく、電池パックの耐衝撃性を向上させることができる。
【図面の簡単な説明】
【００１２】
【図１】第１の実施形態における電池パックの構成例を説明するための分解斜視図である。
【図２】電池ブロックの構成の一例を示す斜視図である。
【図３】電池ホルダの構成の一例を示す斜視図である。
【図４】電池ホルダを端面の側から見た略線図である。
【図５】リブの構成の一例を示す略線図である。
【図６】外装下ケースの構成の一例を示す略線図である。
【図７】リブが突起と当接する状態の一例を説明するための略線図である。
【図８】衝撃が分散される状態の一例を説明するための略線図である。
【図９】リブが変形する状態の一例を説明するための略線図である。
【図１０】電池ホルダの側面部に形成されるリブの一例を説明するための略線図である。
【図１１】第２の実施形態における電池パックの構成例を説明するための分解斜視図である。
【図１２】第２の実施形態における外装下ケースの構成の一例を示す斜視図である。
【図１３】第２の実施形態における外装下ケースを、上面から見たときの構成の一例を示す略線図である。
【図１４】切断線の位置を説明するための略線図である。
【図１５】切断線Ａ−Ａ´で切断したときの断面の一例を示す略線図である。
【図１６】切断線Ｂ−Ｂ´で切断したときの断面の一例を示す略線図である。
【図１７】切断線Ｃ−Ｃ´で切断したときの断面の一例を示す略線図である。
【図１８】第３の実施形態における電池パックの構成例を説明するための分解斜視図である。
【図１９】リブの変形例を示す略線図である。
【図２０】リブの他の変形例を示す略線図である。
【図２１】電源パックの応用例を説明するためのブロック図である。
【図２２】電源パックの他の応用例を説明するためのブロック図である。
【発明を実施するための形態】
【００１３】
以下、本開示の実施の形態について図面を参照しながら説明する。なお、説明は、以下の順序で行う。
＜１．第１の実施形態＞
＜２．第２の実施形態＞
＜３．第３の実施形態＞
＜４．変形例＞
＜５．応用例＞
なお、本開示は、以下に説明する実施の形態等に限定されないものとする。以下の説明において、説明の便宜を考慮して前後左右、上下等の方向を示すが、本開示の内容は当該方向に限定されるものではない。
【００１４】
＜１．第１の実施形態＞
「電池パックの構成」
始めに電池パックの構成の概略について説明する。電池パックの構成の概略は、以下の通りである。電池パックは、複数の電池セルからなる電池セル群を有する。電池セル群の個々の電池セルが電池ホルダに挿入される。各電池セルの正極端子部または負極端子部に対して金属板の端子接触部が接合され、金属板により各電池セルが電気的に接続される。各電池セルが電気的に接続されることで、電池ブロックが形成される。１または複数の電池ブロックと基板とが接続されて電気回路が形成される。そして、電池ブロックおよび基板等が外装ケースに収納され、電池パックが形成される。
【００１５】
電池パックは、例えば、電動工具に使用される。もちろん、電池パックは、パーソナルコンピュータ等の各種の電子機器、掃除機や冷蔵庫などの家庭用の電気機器、電動車両、バックアップ用や緊急時用の電源装置などに対して使用できる。このように、電池パックは幅広い用途に使用される。電池パックの構成、例えば、電池セルの個数や接続態様、外装ケースの形状は、例示した電池パックの用途に応じて適宜、変更することができる。以下、本開示において例示する電池パックの詳細について説明する。
【００１６】
図１は、第１の実施形態における電池パックの構成例を説明するための分解斜視図である。電池パック１は、例えば、樹脂からなる外装上ケース１０ａおよび外装下ケース１０ｂを有する。外装上ケース１０ａは、略矩形状の上面板１１ａを有する。上面板１１ａの周囲からは、側面板１１ｂ、側面板１１ｃ、側面板１１ｄおよび側面板１１ｅが下方に向かって立設されている。側面板１１ｂ、側面板１１ｃ、側面板１１ｄおよび側面板１１ｅはやや浅く形成されている。外装上ケース１０ａおよび外装下ケース１０ｂに収納される電池セルの放熱性を良好とするために、例えば、外装上ケース１０ａに放熱用の孔部１２が形成されている。
【００１７】
外装下ケース１０ｂは、略矩形状の底面板１３ａを有する。底面板１３ａの周囲から、側面板１３ｂ、側面板１３ｃ、側面板１３ｄおよび側面板１３ｅが上方に向かって立設されている。側面板１３ｂ、側面板１３ｃ、側面板１３ｄおよび側面板１３ｅはやや深く形成されている。底面板１３ａの内面には、後述する電池セルの長手方向に整列するようにして、突起１４が複数、形成されている。
【００１８】
外装上ケース１０ａおよび外装下ケース１０ｂには、図示しないネジ締め用の孔部が形成されている。外装下ケース１０ｂの孔部に対して、ネジ１５ａ、ネジ１５ｂ、ネジ１５ｃおよびネジ１５ｄが挿入されて回転される。ネジ１５ａ、ネジ１５ｂ、ネジ１５ｃおよびネジ１５ｄは外装下ケース１０ｂの孔部を貫通して、外装上ケース１０ａの孔部に達する。さらに、それぞれのネジが回転されることでネジ締めがなされ、外装上ケース１０ａと外装下ケース１０ｂとが固定される。
【００１９】
外装上ケース１０ａおよび外装下ケース１０ｂには、複数の電池セル１６から構成される電池セル群１７などが収納される。電池セル１６は、例えば、円筒形状のリチウムイオン二次電池である。電池セル１６は、リチウムイオンポリマー二次電池などの他の二次電池でもよい。さらに、電池セル１６の形状は円筒形状に限られることはなく、角型形状など他の形状でもよい。電池セル１６の一端には正極端子部が形成され、電池セル１６の他端には負極端子部が形成されている。
【００２０】
複数の電池セル１６は、１または複数の列をなすように配置される。図１に示す例では、８本の電池セル１６ａ、電池セル１６ｂ、電池セル１６ｃ・・・電池セル１６ｈ（電池セルを区別する必要がないときは、電池セル１６と称する）が４本ずつ、２列をなすように配置される。図１では、図示を簡単にするために、電池セル１６ａおよび電池セル１６ｂにのみ符号を付している。
【００２１】
電池セル群１７の端部には、電池セル１６ａと電池セル１６ｂとが積層して配置されている。電池セル１６ａおよび電池セル１６ｂに隣接して、電池セル１６ｃと電池セル１６ｄとが積層して配置されている。電池セル１６ｃおよび電池セル１６ｄに隣接して、電池セル１６ｅと電池セル１６ｆとが積層して配置されている。電池セル１６ｅおよび電池セル１６ｆに隣接して、電池セル１６ｇと電池セル１６ｈとが積層して配置されている。
【００２２】
上下方向に隣接する電池セルは、正極端子部および負極端子部が同一方向に揃うにようにそれぞれ配置される。例えば、電池セル１６ａの正極端子部と電池セル１６ｂの正極端子部とが同一方向に揃うように配置される。左右方向に隣接する電池セルは、正極端子部および負極端子部が異なる方向を向くように配置される。例えば、電池セル１６ａの正極端子部と電池セル１６ｃの正極端子部とが異なる方向を向くように配置される。なお、電池セルの配置態様は一例であり、例示した配置態様に限られない。例えば、全ての電池セルの正極端子部が同一方向に揃うように、電池セルが配置されてもよい。
【００２３】
電池セル群１７が電池ホルダ１８ａおよび電池ホルダ１８ｂによって固定される。電池ホルダ１８ａおよび電池ホルダ１８ｂは、例えば、互いに略同一形状とされる。電池ホルダ１８ａおよび電池ホルダ１８ｂは、互いに異なる形状とされてもよい。
【００２４】
電池ホルダ１８ａおよび電池ホルダ１８ｂには、電池セル収納部がそれぞれ形成されている。電池ホルダ１８ａには、例えば、電池セル収納部１９ａ、電池セル収納部１９ｂ、電池セル収納部１９ｃ・・・電池セル収納部１９ｈが形成されている。電池ホルダ１８ｂには、例えば、電池セル収納部１９ｉ、電池セル収納部１９ｊ、電池セル収納部１９ｋ・・・電池セル収納部１９ｐが形成されている。なお、図１では、図示を簡単にするために、電池セル収納部１９ａ、電池セル収納部１９ｂ、電池セル収納部１９ｉ、電池セル収納部１９ｊにのみ符号を付している。個々の電池セル収納部を区別する必要がないときは、電池セル収納部１９と称する。
【００２５】
電池セル収納部１９は、例えば、中空の円筒形状である。電池セル収納部１９の一端側は開放されており、電池セル収納部１９に対して一個の電池セル１６が挿入可能とされている。電池セル収納部１９の他端には、例えば、略円形の端面が形成されている。電池セル収納部１９の開放端から挿入された電池セル１６は、端面によって規制され位置決めされる。各端面には、例えば、略円形状の開口が形成されている。端面に形成された開口から電池セル１６の正極端子部または負極端子部が露出する。各電池セル収納部１９は、所定の間隔をもって形成されている。これにより、各電池セル収納部１９に挿入される電池セル１６間を絶縁することができる。
【００２６】
電池ホルダ１８ａおよび電池ホルダ１８ｂの材料としては、例えば、プラスチックなどの絶縁材料が挙げられる。電池ホルダ１８ａおよび電池ホルダ１８ｂの材料は、金属粉または炭素を含有し、熱伝導性が高い熱伝導性材料でもよい、このような材料を使用することにより、電池セル１６からの発熱を効率よく外部に放熱できる。電池ホルダ１８ａおよび電池ホルダ１８ｂの材料は、ガラス繊維または炭素繊維を含有し、機械的強度に優れる強化プラスチックでもよい。このような材料を使用することにより、外部からの衝撃に対する電池ホルダ１８ａおよび電池ホルダ１８ｂの機械的な強度を高めることができる。
【００２７】
電池ホルダ１８ａには、例えば、２個の孔部２５ａおよび孔部２５ｂが形成されている。電池ホルダ１８ｂには、２個の孔部２５ｃおよび孔部２５ｄが形成されている。孔部２５ａおよび孔部２５ｃにネジ２０ａが挿入回転される。孔部２５ｂおよび孔部２５ｄにネジ２０ｂが挿入回転される。電池ホルダ１８ａと電池ホルダ１８ｂとが、例えば、ネジを使用して締結固定される。
【００２８】
電池ホルダを使用することで電池セル間を確実に絶縁できる。このため、貼り付け位置のずれが生じやすい絶縁テープ等を使用する従来の構造に比べて、高い安全性を得ることができる。さらに、電池ホルダの電池セル収納部に電池セルが安定して固定されるため、外部からの衝撃によって電池セルの位置がずれてしまうことを防止できる。
【００２９】
電池セル１６の、例えば、正極端子部に防水用のゴムリングが取り付けられてもよい。電池パック１では、電池セル１６ａ、電池セル１６ｂ・・電池セル１６ｈの正極端子部に、ゴムリング２１ａ、ゴムリング２１ｂ、ゴムリング２１ｃ・・ゴムリング２１ｈ（以下、区別する必要がない場合は、ゴムリング２１と称する）がそれぞれ取り付けられる。図１では、図示を簡単にするために、ゴムリング２１ａにのみ符号を付している。
【００３０】
ゴムリング２１は、例えば、中空部を有する円盤形状のものである。ゴムリング２１の中空部は、電池セル１６の正極端子部が露出するために形成される。例えば、電池セル１６ａが電池セル収納部１９ａに挿入されると、ゴムリング２１ａは、電池セル１６ａの電池缶と電池セル収納部１９ａの端面とによって押し潰されて変形する。ゴムリング２１ａが変形することで、電池セル１６ａの正極端子部付近の間隙が封止される。このため、電池セル１６ａの防水性が向上する。
【００３１】
各電池セル収納部１９の開口から露出する正極端子部または負極端子部と、各金属板に形成された端子接触部とが接合される。例えば、抵抗溶接またはレーザ光加熱による溶接により接合される。金属板２３ａは、例えば、略矩形であり、上下方向に２個の端子接触部が形成されている。端子接触部は、例えば、金属板２３ａを絞り加工することで形成される。
【００３２】
電池セル収納部１９ａの端部の開口からは、電池セル１６ａの正極端子部が露出する。電池セル収納部１９ｂの端部の開口からは、電池セル１６ｂの正極端子部が露出する。よって、金属板２３ａの上側の端子接触部が電池セル１６ａの正極端子部と接合される。金属板２３ａの下側の端子接触部が電池セル１６ｂの正極端子部と接合される。
【００３３】
金属板２３ｂは、例えば、略矩形であり、コーナー付近に４個の端子接触部が形成されている。端子接触部は、例えば、金属板２３ｂを絞り加工することで形成される。電池セル収納部１９ｃの端部の開口からは、電池セル１６ｃの負極端子部が露出する。電池セル収納部１９ｄの端部の開口からは、電池セル１６ｄの負極端子部が露出する。電池セル収納部１９ｅの端部の開口からは、電池セル１６ｅの正極端子部が露出する。電池セル収納部１９ｆの端部の開口からは、電池セル１６ｆの正極端子部が露出する。
【００３４】
金属板２３ｂの（図面に向かって）右上のコーナー付近に形成される端子接触部が、電池セル１６ｃの負極端子部に接合される。その下の端子接触部が、電池セル１６ｄの負極端子部に接合される。金属板２３ｂの左上のコーナー付近に形成される端子接触部が、電池セル１６ｅの正極端子部に接合される。その下の端子接触部が、電池セル１６ｆの正極端子部に接合される。
【００３５】
金属板２３ｃは、例えば、略矩形であり、上下方向に２個の端子接触部が形成されている。端子接触部は、例えば、金属板２３ｃを絞り加工することで形成される。電池セル収納部１９ｇの端部の開口からは、電池セル１６ｇの負極端子部が露出する。電池セル収納部１９ｈの端部の開口からは、電池セル１６ｈの負極端子部が露出する。よって、金属板２３ｃの上側の端子接触部が電池セル１６ｇの負極端子部に接合される。金属板２３ｃの下側の端子接触部が電池セル１６ｈの負極端子部に接合される。
【００３６】
金属板２３ｄは、例えば、略矩形であり、コーナー付近に４個の端子接触部が形成されている。金属板２３ｄの略中央には、ネジ２０ａが貫通する貫通孔２６ａが形成されている。端子接触部は、例えば、金属板２３ｄを絞り加工することで形成される。電池セル収納部１９ｉの端部の開口からは、電池セル１６ａの負極端子部が露出する。電池セル収納部１９ｊの端部の開口からは、電池セル１６ｂの負極端子部が露出する。電池セル収納部１９ｋの端部の開口からは、電池セル１６ｃの正極端子部が露出する。電池セル収納部１９ｌの端部の開口からは、電池セル１６ｄの正極端子部が露出する。
【００３７】
金属板２３ｄの右上のコーナー付近に形成される端子接触部が、電池セル１６ａの負極端子部に接合される。その下の端子接触部が、電池セル１６ｂの負極端子部に接合される。金属板２３ｄの左上のコーナー付近に形成される端子接触部が、電池セル１６ｃの正極端子部に接合される。その下の端子接触部が、電池セル１６ｄの正極端子部に接合される。
【００３８】
金属板２３ｅは、例えば、略矩形であり、コーナー付近に４個の端子接触部が形成されている。金属板２３ｅの略中央には、ネジ２０ｂが貫通する貫通孔２６ｂが形成されている。端子接触部は、例えば、金属板２３ｅを絞り加工することで形成される。電池セル収納部１９ｍの端部の開口からは、電池セル１６ｅの負極端子部が露出する。電池セル収納部１９ｎの端部の開口からは、電池セル１６ｆの負極端子部が露出する。電池セル収納部１９ｏの端部の開口からは、電池セル１６ｇの正極端子部が露出する。電池セル収納部１９ｐの端部の開口からは、電池セル１６ｈの正極端子部が露出する。
【００３９】
金属板２３ｅの右上のコーナー付近に形成される端子接触部が、電池セル１６ｅの負極端子部に接合される。その下の端子接触部が、電池セル１６ｆの負極端子部に接合される。金属板２３ｄの左上のコーナー付近に形成される端子接触部が、電池セル１６ｇの正極端子部に接合される。その下の端子接触部が、電池セル１６ｈの正極端子部に接合される。
【００４０】
金属板２３ａ、金属板２３ｂ・・金属板２３ｅ（以下、区別する必要がないときは、金属板２３と称する）は、銅合金またはそれに類する材料によって構成されることが好ましい。これにより、低抵抗で配電することが可能となる。金属板２３は、例えば、ニッケルまたはニッケル合金で構成される。これにより、金属板２３に形成される端子接触部と、正極端子部または負極端子部との溶接性が良好になる。金属板２３の表面が錫またはニッケルでメッキされていてもよい。これにより、金属板２３の表面が酸化して錆びが発生することを防止できる。
【００４１】
それぞれの電池セル１６が、金属板２３によって電気的に接続される。図１に例示する接続によって、２個の電池セル１６が並列に接続され、並列に接続された２個の電池セル１６が４個、直列に接続されることになる。フレキシブル基板２４には、所定の配線パターンが形成されている。フレキシブル基板２４の配線パターンの所定箇所に金属板２３ａ等がそれぞれ接続される。例えば、フレキシブル基板２４の所定箇所に対して、金属板２３の所定箇所がそれぞれはんだ付けされる。
【００４２】
図２は、電池ブロックの外観の一例を示す。電池セル群１７が電池ホルダ１８ａおよび電池ホルダ１８ｂに挿入され、電池ホルダ１８ａおよび電池ホルダ１８ｂが係合されている。このようにして、１つの電池ブロックが形成される。図２に示すように、電池ブロックを構成する電池セル１６の中央部付近が露出する。これにより、電池セル１６の放熱性を良好とすることができる。なお、複数の電池ブロックが電気的に接続され、複数の電池ブロックが外装上ケース１０ａおよび外装下ケース１０ｂに収納されるようにしてもよい。
【００４３】
図２に示す電池ブロックが外装下ケース１０ｂに載置される。外装下ケース１０ｂの深さは、例えば、電池ブロックの高さよりやや短く設定される。このため、外装下ケース１０ｂに電池ブロックが載置された状態では、電池ブロックの上部付近が露出する。電池ブロックが外装下ケース１０ｂに収納された後に外装上ケース１０ａが被せられ、外装上ケース１０ａおよび外装下ケース１０ｂが固定される。
【００４４】
「電池ホルダ」
次に、電池ホルダについて説明する。電池ホルダ１８ａおよび電池ホルダ１８ｂは、略同一形状とされる。以下、電池ホルダ１８ａについて説明する。
【００４５】
図３Ａは、電池ホルダ１８ａの斜視図である。電池ホルダ１８ａは、上面部３０ａ、底面部３０ｂ、側面部３０ｃおよび側面部３０ｄが連続的に形成されている。電池ホルダ１８ａには、所定の間隔をもって、例えば８個の電池セル収納部１９（電池セル収納部１９ａ〜電池セル収納部１９ｈ）が形成されている。電池セル収納部１９は、例えば、円筒形状とされ、各電池セル収納部１９に対して電池セル１６を挿入できる。電池セル収納部１９の内面に、曲面形状とされ抜き勾配が０度とされる局所的な箇所を設けてもよい。これにより、クリアランスを少なくして、電池セル１６を電池セル収納部１９に挿入できる。
【００４６】
電池セル収納部１９の一端側は、電池セル１６を挿入できるように開放されている。電池セル収納部１９の他端側には、略円形の端面が形成されている。電池セル収納部１９ａの他端側には、端面３１ａが形成されている。電池セル収納部１９ｂの他端側には、端面３１ｂが形成されている。電池セル収納部１９ｃの他端側には、端面３１ｃが形成されている。電池セル収納部１９ｄの他端側には、端面３１ｄが形成されている。電池セル収納部１９ｅの他端側には、端面３１ｅが形成されている。電池セル収納部１９ｆの他端側には、端面３１ｆが形成されている。電池セル収納部１９ｇの他端側には、端面３１ｇが形成されている。電池セル収納部１９ｈの他端側には、端面３１ｈが形成されている。各端面によって同一平面が形成される。なお、それぞれの端面を区別する必要がないときは、適宜、端面３１と称する。
【００４７】
端面３１ａには、例えば、略円形の開口３２ａが形成されている。端面３１ｂには、例えば、略円形の開口３２ｂが形成されている。同様に、端面３１ｃには略円形の開口３２ｃが形成され、端面３１ｄには略円形の開口３２ｄが形成され、端面３１ｅには略円形の開口３２ｅが形成され、端面３１ｆには略円形の開口３２ｆが形成され、端面３１ｇには略円形の開口３２ｇが形成され、端面３１ｈには略円形の開口３２ｈが形成されている。なお、個々の開口を区別する必要がないときは、開口３２と称する。図２では、図示を簡単にするために、開口３２ａおよび開口３２ｂのみに符号を付している。
【００４８】
開口３２から電池セル１６の正極端子部または負極端子部が露出する。例えば、開口３２ａからは、電池セル１６ａの正極端子部が露出する。露出した正極端子部または負極端子部が、金属板２３の端子接触部と接合される。なお、正極端子部が露出する開口３２の径と、負極端子部が露出する開口３２の径を異なるようにしてもよい。端面３１には、金属板２３を位置決めするための凹部が形成されてもよい。例えば、端面３１ａおよび端面３１ｂには、金属板２３ａの形状に対応して凹部２７ａが形成される。端面３１ｃ、端面３１ｄ、端面３１ｅおよび端面３１ｆには、金属板２３ｂの形状に対応して凹部２７ｂが形成される。端面３１ｇおよび端面３１ｈには、金属板２３ｃの形状に対応して凹部２７ｃが形成される。
【００４９】
電池セル収納部１９は、例えば、曲面状の周面を有する。電池セル収納部１９ａの周面の一部と、電池セル収納部１９ｃの周面と、電池セル収納部１９ｅの周面と、電池セル収納部１９ｇの周面の一部とによって上面部３０ａが構成される。電池セル収納部１９ｂの周面の一部と、電池セル収納部１９ｄの周面と、電池セル収納部１９ｆの周面と、電池セル収納部１９ｈの周面の一部とによって底面部３０ｂが構成される。電池セル収納部１９ａの周面の一部と、電池セル収納部１９ｂの周面の一部とによって側面部３０ｃが構成される。電池セル収納部１９ｇの周面の一部と、電池セル収納部１９ｈの周面の一部とによって側面部３０ｄが構成される。
【００５０】
電池ホルダ１８ａには、ネジを挿入回転するための孔部２５ａおよび孔部２５ｂが形成されている。側面部３０ｃにリブ３３が形成されている。側面部３０ｄにリブ３４が形成されている。
【００５１】
図３Ｂは、上下方向を反転させた電池ホルダ１８ａの斜視図である。底面部３０ｂに、外部からの衝撃を吸収するリブが複数、形成されている。底面部３０ｂに、例えば、３個のリブ４０、リブ４１およびリブ４２が形成されている。各リブは、一の電池セル収納部の周面と、他の電池セル収納部の周面との間に形成される。
【００５２】
リブ４０は、電池セル収納部１９ｂの周面と電池セル収納部１９ｄの周面との間の領域に形成される。リブ４１は、電池セル収納部１９ｄの周面と電池セル収納部１９ｆの周面との間の領域に形成される。リブ４２は、電池セル収納部１９ｆの周面と電池セル収納部１９ｈの周面との間の領域に形成される。
【００５３】
リブ４０は、電池セル収納部１９ｂの長手方向と略平行に形成される突条部４０ａを含む。さらに、リブ４０は、電池セル収納部１９ｄの長手方向と略平行に形成される突条部４０ｂを含む。突条部４０ａは、電池セル収納部１９ｂの周面の一部から突出する。突条部４０ｂは、電池セル収納部１９ｄの周面の一部から突出する。
【００５４】
突条部４０ａおよび突条部４０ｂは、互いの端面が対向するように湾曲される。湾曲されることで、突条部４０ａおよび突条部４０ｂに傾斜部（傾斜面）がそれぞれ形成される。突条部４０ａの端面と突条部４０ｂの端面とによって対向間隙が形成される。突条部４０ａおよび突条部４０ｂの内側には、対向間隙と連通する空洞が形成される。突条部４０ａおよび突条部４０ｂは、外部からの衝撃が伝播されることに応じて、例えば、対向間隙および空洞内を弾性変形する。
【００５５】
リブ４１は、電池セル収納部１９ｄの周面の一部から突出する突条部４１ａを含む。さらに、リブ４１は、電池セル収納部１９ｆの周面の一部から突出する突条部４１ｂを含む。突条部４１ａおよび突条部４１ｂは、互いの端面が対向するように湾曲される。湾曲されることで、突条部４１ａおよび突条部４１ｂに傾斜部（傾斜面）がそれぞれ形成される。突条部４１ａの端面と突条部４１ｂの端面とによって対向間隙が形成される。突条部４１ａおよび突条部４１ｂの内側には、対向間隙と連通する空洞が形成される。突条部４１ａおよび突条部４１ｂは、外部からの衝撃が伝播されることに応じて、例えば、対向間隙および空洞内を弾性変形する。
【００５６】
リブ４２は、電池セル収納部１９ｆの周面の一部から突出する突条部４２ａを含む。さらに、リブ４２は、電池セル収納部１９ｈの周面の一部から突出する突条部４２ｂを含む。突条部４２ａおよび突条部４２ｂは、互いの端面が対向するように湾曲される。湾曲されることで、突条部４２ａおよび突条部４２ｂに傾斜部（傾斜面）がそれぞれ形成される。突条部４２ａの端面と突条部４２ｂの端面とによって対向間隙が形成される。突条部４２ａおよび突条部４２ｂの内側には、対向間隙と連通する空洞が形成される。突条部４２ａおよび突条部４２ｂは、外部からの衝撃が伝播されることに応じて、例えば、対向間隙および空洞内を弾性変形する。
【００５７】
図４は、電池ホルダ１８ａを端面３１側から見た図である。底面部３０ｂにおける電池セル収納部の周面の間に、リブ４０、リブ４１、リブ４２が形成されている。リブ４０は、例えば、突条部４０ａと突条部４０ｂとから構成される。リブ４１は、例えば、突条部４１ａと突条部４１ｂとから構成される。リブ４２は、例えば、突条部４２ａと突条部４２ｂとから構成される。なお、各突条部の高さは、各突条部が底面部３０ｂより下方に突出する高さに設定される。
【００５８】
各端面の境界付近の領域が境界面とされる。例えば、互いに隣接する端面３１ａおよび端面３１ｃの境界付近が境界面３６ａとされる。互いに隣接する端面３１ｂおよび端面３１ｄの境界付近が境界面３６ｂとされる。互いに隣接する端面３１ｃおよび端面３１ｅの間が境界面３６ｃとされる。互いに隣接する端面３１ｄおよび端面３１ｆの境界付近が境界面３６ｄとされる。互いに隣接する端面３１ｅおよび端面３１ｇの境界付近が境界面３６ｅとされる。互いに隣接する端面３１ｆおよび端面３１ｈの間が境界面３６ｆとされる。なお、図４では図示を簡単にするために、境界面３６ａおよび境界面３６ｂにのみ符号を付している。
【００５９】
図５は、リブ４０の近傍を拡大して示した図である。リブ４０は、例えば、突条部４０ａと突条部４０ｂから構成される。突条部４０ａおよび突条部４０ｂは、互いの端面が対向するようにして、湾曲される。湾曲されることで、突条部４０ａの外側の周面に傾斜部５０ａが形成され、突条部４０ｂの外側の周面に傾斜部５０ｂが形成される。突条部４０ａの端面と突条部４０ｂの端面とによって、対向間隙５０ｃが形成される。突条部４０ａおよび突条部４０ｂの内側には、対向間隙５０ｃと連通する空洞部５０ｄが形成される。突条部４０ａおよび突条部４０ｂは、伝播される衝撃の方向に応じて、対向間隙５０ｃおよび空洞部５０ｄ内を弾性変形する。
【００６０】
図示は省略しているが、リブ４１は、リブ４０と略同様の形状とされる。突条部４１ａおよび突条部４１ｂは、互いの端面が対向するようにして、湾曲される。リブ４１における突条部４１ａの外側の周面に傾斜部５１ａが形成される。突条部４１ｂの外側の周面に傾斜部５１ｂが形成される。突条部４１ａの端面と突条部４１ｂの端面とにより、対向間隙５１ｃが形成される。突条部４１ａおよび突条部４１ｂの内側には、対向間隙５１ｃと連通する空洞部５１ｄが形成される。突条部４１ａおよび突条部４１ｂは、伝播される衝撃の方向に応じて、対向間隙５１ｃおよび空洞部５１ｄ内を弾性変形する。
【００６１】
図示は省略しているが、リブ４２は、リブ４０と略同様の形状とされる。突条部４２ａおよび突条部４２ｂは、互いの端面が対向するようにして、湾曲される。リブ４２における突条部４２ａの外側の周面に傾斜部５２ａが形成される。突条部４２ｂの外側の周面に傾斜部５２ｂが形成される。突条部４２ａの端面と突条部４２ｂの端面とにより、対向間隙５２ｃが形成される。突条部４２ａおよび突条部４２ｂの内側には、対向間隙５２ｃと連通する空洞部５２ｄが形成される。突条部４２ａおよび突条部４２ｂは、伝播される衝撃の方向に応じて、対向間隙５２ｃおよび空洞部５２ｄ内を弾性変形する。
【００６２】
電池ホルダ１８ｂに形成されるリブは、例えば、リブ４０等と略同様の形状とされる。すなわち、電池ホルダ１８ｂの底面部における、隣接する電池セル収納部の周面の間に、リブ４０と略同一形状のリブが形成される。例えば、電池ホルダ１８ｂの底面部には、３個のリブが形成される。それぞれのリブは、略平行する２本の突条部から構成される。隣接する突条部の端面によって対向間隙が形成され、突条部の内側には、対向間隙と連通する空洞部が形成される。
【００６３】
「外装下ケースの構成」
図６Ａは、外装下ケース１０ｂの斜視図である。外装下ケース１０ｂは、底面板１３ａを有し、底面板１３ａの周囲から、側面板１３ｂ、側面板１３ｃ、側面板１３ｄおよび側面板１３ｅが立設している。外装下ケース１０ｂに電池ブロックを収納すると、例えば、側面板１３ｃ寄りに電池ホルダ１８ａが配される。外装下ケース１０ｂの、例えば、側面板１３ｅ寄りに電池ホルダ１８ｂが配される。
【００６４】
底面板１３ａの内面には、突起１４が形成されている。複数の突起１４が一列に整列するようにして形成されることで、突起部１４ａが構成される。複数の突起１４が一列に整列するようにして形成されることで、突起部１４ｂが構成される。突起部１４ａおよび突起部１４ｂは、互いに略平行となるように形成される。
【００６５】
突起部１４ａは、電池ブロックが外装下ケース１０ｂに収納された際に、電池ホルダ１８ａの突条部４０ａが配される位置の近傍の箇所に形成される。この箇所に突起部１４ａが形成されることで、突起部１４ａの個々の突起と突条部４０ａとが当接する。突起部１４ｂは、電池ブロックが外装下ケース１０ｂに収納された際に、電池ホルダ１８ａの突条部４０ｂが配される位置の近傍の箇所に形成される。この箇所に突起部１４ｂが形成されることで、突起部１４ｂの個々の突起と突条部４０ｂとが当接する。
【００６６】
複数の突起１４が一列に整列するようにして形成されることで、突起部１４ｃが構成される。複数の突起１４が一列に整列するようにして形成されることで、突起部１４ｄが構成される。突起部１４ｃおよび突起部１４ｄは、互いに略平行となるように形成される。
【００６７】
突起部１４ｃは、電池ブロックが外装下ケース１０ｂに収納された際に、電池ホルダ１８ａの突条部４１ａが配される位置の近傍の箇所に形成される。この箇所に突起部１４ｃが形成されることで、突起部１４ｃの個々の突起と突条部４１ａとが当接する。突起部１４ｄは、電池ブロックが外装下ケース１０ｂに収納された際に、電池ホルダ１８ａの突条部４１ｂが配される位置の近傍の箇所に形成される。この箇所に突起部１４ｄが形成されることで、突起部１４ｄの個々の突起と突条部４１ｂとが当接する。
【００６８】
複数の突起１４が一列に整列するようにして形成されることで、突起部１４ｅが構成される。複数の突起１４が一列に整列するようにして形成されることで、突起部１４ｆが構成される。突起部１４ｅおよび突起部１４ｆは、互いに略平行となるように形成される。
【００６９】
突起部１４ｅは、電池ブロックが外装下ケース１０ｂに収納された際に、電池ホルダ１８ａの突条部４２ａが配される位置の近傍の箇所に形成される。この箇所に突起部１４ｅが形成されることで、突起部１４ｅの個々の突起と突条部４２ａとが当接する。突起部１４ｆは、電池ブロックが外装下ケース１０ｂに収納された際に、電池ホルダ１８ａの突条部４２ｂが配される位置の近傍の箇所に形成される。この箇所に突起部１４ｆが形成されることで、突起部１４ｆの個々の突起と突条部４２ｂとが当接する。
【００７０】
突起部１４ａの延長方向における所定の間隔を隔てた位置に、複数の突起が形成される。複数の突起が、一列に整列するようにして形成されている。この複数の突起によって、突起部１４ｇが構成される。突起部１４ｂの延長方向における所定の間隔を隔てた位置に、複数の突起が形成されている。複数の突起が一列に整列するようにして形成されている。この複数の突起によって、突起部１４ｈが構成される。突起部１４ｇと突起部１４ｈが、互いに略平行となるように形成される。
【００７１】
突起部１４ｃの延長方向における所定の間隔を隔てた位置に、複数の突起が形成される。複数の突起が一列に整列するようにして形成される。この複数の突起によって、突起部１４ｉが構成される。突起部１４ｄの延長方向における所定の間隔を隔てた位置に、複数の突起が形成される。複数の突起が一列に整列するようにして形成される。この複数の突によって、突起部１４ｊが構成される。突起部１４ｉと突起部１４ｊが、互いに略平行となるように形成される。
【００７２】
突起部１４ｅの延長方向における所定の間隔を隔てた位置に、複数の突起が形成される。複数の突起が一列に整列するようにして形成される。この複数の突起によって、突起部１４ｋが構成される。突起部１４ｆの延長方向における所定の間隔を隔てた位置に、複数の突起が形成される。複数の突起が一列に整列するようにして形成される。この複数の突起によって、突起部１４ｌが構成される。突起部１４ｋと突起部１４ｌが、互いに略平行となるように形成される。
【００７３】
突起部１４ｇ〜突起部１４ｌは、電池ブロックが外装下ケース１０ｂに収納された際に、電池ホルダ１８ｂのリブが配される位置の近傍の箇所にそれぞれ形成される。これにより、突起部１４ｇ〜突起部１４ｌにおける個々の突起と、電池ホルダ１８ｂのリブに形成されたそれぞれの突条部とが当接する。
【００７４】
図６Ｂは、突起１４を拡大して示した図である。突起１４は、断面が例えば略台形状とされる形状であり、漸次、傾斜する傾斜部（傾斜面）が形成されている。例えば、所定の突起部の突起１４０ａには、傾斜部１４０ｂが形成されている。所定の突起部と略平行とされる突起部において、突起１４０ａに隣接する突起１４１ａには、傾斜部１４１ｂが形成されている。傾斜部１４０ｂと傾斜部１４１ｂとが互いに対向する。
【００７５】
「リブの作用」
図７は、電池ブロックが外装下ケース１０ｂに収納された際の、リブ４０の近傍の断面を示したものである。電池ブロックが外装下ケース１０ｂに収納されると、電池ホルダ１８ａに形成される突条部４０ａが突起部１４ａと当接する。突条部４０ａが、例えば、突起部１４ａの突起１４０ａと当接する。突条部４０ａと突起１４０ａとは、互いの傾斜部である、傾斜部５０ａと傾斜部１４０ｂとが接触するようにして当接する。さらに、突条部４０ｂが突起部１４ｂと当接する。突条部４０ｂａが、例えば、突起部１４ｂの突起１４１ａと当接する。突条部４０ｂと突起１４１ａとは、互いの傾斜部である、傾斜部５０ｂと傾斜部１４１ｂとが接触するようにして当接する。
【００７６】
図示は省略しているが、リブ４１における突条部４１ａの傾斜部５１ａが、突起部１４ｃを構成する突起の傾斜部と当接する。突条部４１ｂの傾斜部５１ｂが、突起部１４ｄを構成する突起の傾斜部と当接する。リブ４２における突条部４２ａの傾斜部５２ａが、突起部１４ｅを構成する突起の傾斜部と当接する。突条部４２ｂの傾斜部５２ｂが、突起部１４ｆを構成する突起の傾斜部と当接する。電池ホルダ１８ｂに形成される突条部の傾斜部が、突起部１４ｇ等を構成する突起の傾斜部とそれぞれ当接する。
【００７７】
外装上ケース１０ａと外装下ケース１０ｂとが固定され、電池パック１が形成される。例えば、電池パック１の底面板１３ａに外部からの衝撃が加わる。突起部１４ａを構成する突起（例えば、突起１４０ａ）を介して突条部４０ａに衝撃が伝播されるとともに、突起部１４ｂを構成する突起（例えば、突起１４１ａ）を介して突条部４０ｂに衝撃が伝播する。衝撃が伝播されることに応じて、突条部４０ａおよび突条部４０ｂは、対向間隙５０ｃおよび空洞部５０ｄを弾性変形する。突条部４０ａおよび突条部４０ｂが弾性変形することで、外部からの衝撃を減衰させることができる。
【００７８】
各突条部が複数の突起により当接して支持されることで、電池ホルダと底面板との間に間隙が生じる。例えば、電池ホルダ１８ａと底面板１３ａとの間には、間隙５１、間隙５２および間隙５３が形成される。すなわち、電池ホルダ１８ａの底面部と外装下ケース１０ｂの底面板１３ａとが、各突条部の傾斜面および各突起の傾斜面のみにおいて接触する。このため、底面板１３ａに加わる衝撃が、減衰されることなく電池ホルダ１８ａに伝播されることを防止できる。
【００７９】
例えば、突条部４０ａおよび突条部４０ｂを底面板１３ａに直接、接触させた場合でも、底面板１３ａに加わる衝撃に応じて突条部４０ａおよび突条部４０ｂは弾性変形する。しかしながら、突条部４０ａおよび突条部４０ｂのそれぞれの傾斜部と、突起１４の傾斜部とを接触させることで、外部から加わる衝撃を効果的に分散することができる。図８に模式的に示すように、底面板１３ａに矢印で示す下方からの衝撃が加わる。外部からの衝撃は、矢印で示すように、傾斜部同士が接触する箇所において分散され、衝撃を減衰させることができる。以上から、傾斜部を有する突起を底面板に形成し、突条部の傾斜部と突起の傾斜部とが当接されるように構成することが好ましい。
【００８０】
さらに、図９に模式的に示すように、対向間隙５０ｃと、対向間隙５０ｃと連通する空洞部５０ｄとを形成することで、外部からの衝撃に応じて突条部４０ａおよび突条部４０ｂが容易に弾性変形する。図９では底面板１３ａに加わる下方からの衝撃を矢印で示している。衝撃に応じて、突条部４０ａおよび突条部４０ｂが弾性変形する方向の一例を他の矢印で示している。対向間隙および空洞部が形成されることで突条部がより弾性変形し易くなり、外部からの衝撃を減衰させることができる。
【００８１】
突起部が連続して形成された場合には、突条部と突起部との接触面積が増加して線接触もしくは点接触になる。この場合には、外部からの衝撃が電池ホルダの内部に伝播される局所的応力が大きくなってしまう。このため、突起部は、細部化された複数の突起によって構成されることが好ましい。突起部が細分化された突起により構成されることで、底面板に加わった衝撃が局所的に集中することを防止でき、外部からの衝撃を分散させることができる。そして、電池ホルダに伝播される衝撃を減衰させることができ、電池ホルダに挿入される電池セルを保護できる。
【００８２】
リブは、隣接する電池セル収納部の周面の間に形成される。電池セル収納部が、例えば、円筒状である場合には、隣接する電池セル収納部の間の周面にスペースが生じる。このスペースにリブを設けることで、スペースを有効に活用でき、電池ホルダが大型化することを防止できる。さらに、緩衝材を使用する必要がなく、コストを低減できる。電池ホルダの耐衝撃性が向上するため、電池ホルダに挿入される電池セルの保護を図ることができる。さらに、電池ホルダが適用される電池パック全体の耐衝撃性を向上させることができる。
【００８３】
なお、各突条部に形成される傾斜部および各突起に形成される傾斜部のそれぞれがインボリュート曲線で形成されてもよい。インボリュート曲線で形成される傾斜部同士を当接させることで、上下方向や左右方向から衝撃が加わった場合でも、同一の接点を保障できる。同一の接点が保障されるため、リブが安定して作用する。
【００８４】
なお、電池ホルダの側面部にリブが形成されてもよい。リブ４０等と同一の形状とされるリブ、または、リブ４０等と異なる形状のリブが電池ホルダの側面部に形成されてもよい。本開示において例示する電池ホルダ１８ａには、側面部３０ｃにおける、電池セル収納部１９ａの周面と電池セル収納部１９ｂの周面との間に、リブ３３が形成される。側面部３０ｄにおける、電池セル収納部１９ｇの周面と電池セル収納部１９ｈの周面との間に、リブ３３と同一の形状とされるリブ３４が形成される。
【００８５】
図１０は、リブ３３の近傍を示した図である。リブ３３は、電池セル収納部１９ａの周面と電池セル収納部１９ｂの周面との間を架け渡すようにして形成される橋架部３３ａを有する。橋架部３３ａの内面と、電池セル収納部１９ａの周面および電池セル収納部１９ｂの周面とによって空洞部３３ｂが形成される。
【００８６】
電池ブロックが外装下ケース１０ｂに収納されると、電池ホルダ１８ａの橋架部３３ａと外装下ケース１０ｂの側面板１３ｄの内面とが接触する、または僅かな間隔をもって対向する。側面板１３ｄに対して加わる衝撃は、橋架部３３ａに伝達される。橋架部３３ａは、衝撃が伝播されることに応じて空洞部３３ｂに向かう方向に弾性変形する。橋架部３３ａが弾性変形することで、側面板１３ｄに対して加わる衝撃を吸収することができる。なお、リブ３３やリブ３４の形状を、例えば、リブ４０と同一の形状としてもよい。側面板１３ｄの内面に突起部が形成されてもよい。
【００８７】
＜２．第２の実施形態＞
「電池パックの構成」
次に第２の実施形態について説明する。図１１は、第２の実施形態における電池パック２の構成例を説明するための分解斜視図である。上述した電池パック１と同一の構成については、同一の符号を付し重複した説明を省略する。
【００８８】
電池パック２における外装下ケース１０ｂの内側には、所定の側面板に略平行して、リブが植立されている。例えば、側面板１３ｃと略平行とされるリブ６１が、底面板１３ａから植立されている。リブ６１は、例えば、薄板状の壁とされ、一端が側面板１３ｂに連結され、他端が側面板１３ｄに連結されている。リブ６１には、切欠６２が形成されている。切欠６２の形状は、例えば、上方に開口が形成された長穴状とされる。リブ６１の所定箇所には、位置決め部の一例であるリブ６３が形成されている。リブ６３は、電池ホルダ１８ａの位置決めするためのリブである。リブ６３によって、リブ６１の所定箇所と側面板１３ｃとが一体化される。
【００８９】
「外装下ケースの構成」
図１２は、外装下ケース１０ｂの構成の一例を示す斜視図である。図１２、図１３・・図１７では、突起１４の図示を省略している。外装下ケース１０ｂの内側には、側面板１３ｃと略平行にリブ６１が形成されている。リブ６１には切欠が形成されている。例えば、４個の切欠（切欠６２ａ、切欠６２ｂ、切欠６２ｃおよび切欠６２ｄ）が形成されている。
【００９０】
リブ６１の所定箇所には、電池ホルダ１８ａを位置決めするためのリブが形成されている。例えば、５個のリブ（リブ６３ａ、リブ６３ｂ、リブ６３ｃ、リブ６３ｄおよびリブ６３ｅ）が形成されている。リブ６３は、リブ６１の上面から上方に突出し、リブ６１から側面板１３ｃに向かって傾斜する部材を含む。この部材の下側で、リブ６３の構成の一部がリブ６１の所定箇所と共通とされており、リブ６３の端面がリブ６１の所定箇所における端面と同一平面とされている。さらに、リブ６３は、リブ６１の所定箇所と側面板１３ｃとの間隙を連結する部材を含む。リブ６３は、側面板１３ｃと連結されている。これによりリブ６３は剛体とされ、外部からの衝撃が加わった場合でもリブ６３は、弾性変形しない。
【００９１】
なお、側面板１３ｅの側に同様の構成が設けられる。側面板１３ｅに略平行して、リブ７１が形成される。リブ７１に切欠７２が形成される。例えば、４個の切欠（切欠７２ａ、切欠７２ｂ、切欠７２ｃおよび切欠７２ｄ）が形成される。切欠６２と切欠７２とは、略対向する位置に形成される。
【００９２】
リブ７１の所定箇所には、電池ホルダ１８ｂを位置決めするためのリブが形成されている。例えば、５個のリブ７３（リブ７３ａ、リブ７３ｂ、リブ７３ｃ、リブ７３ｄおよびリブ７３ｅ）が形成されている。リブ７３、リブ６３と略対向する位置に形成されている。リブ７３は、リブ７１の上面から上方に突出し、リブ７１から側面板１３ｅに向かって傾斜する部材を含む。この部材の下側で、リブ７３の構成の一部がリブ７１の所定箇所と共通とされており、リブ７３の端面がリブ７１の所定箇所における端面と同一平面とされている。さらに、リブ７３は、リブ７１の所定箇所と側面板１３ｅとの間隙を連結する部材を含む。これによりリブ７３は剛体とされ、外部からの衝撃が加わった場合でもリブ７３は、弾性変形しない。
【００９３】
図１３は、外装下ケース１０ｂを上方から見た図である。側面板１３ｃとリブ６１の間には間隙Ｓ１が形成されている。衝撃が伝播されることに応じてリブ６１が間隙Ｓ１に向かって傾斜するように弾性変形し、衝撃が減衰される。リブ６１には、４個の切欠６２ａ、切欠６２ｃ、切欠６２ｃおよび切欠６２ｄが形成されている。リブ６１の所定箇所が側面板１３ｃに連結されている。例えば、リブ６１の５箇所と側面板１３ｃとが、リブ６３ａ、リブ６３ｂ、リブ６３ｃ、リブ６３ｄおよびリブ６３ｅのそれぞれによって連結されている。
【００９４】
側面板１３ｅとリブ７１の間には間隙Ｓ２が形成されている。衝撃が伝播されることに応じてリブ７１が間隙Ｓ２に向かって傾斜するように弾性変形し、衝撃が減衰される。リブ７１には、４個の切欠７２ａ、切欠７２ｂ、切欠７２ｃおよび切欠７２ｄが形成されている。リブ７１の所定箇所が側面板１３ｃに連結されている。例えば、リブ７１の５箇所と側面板１３ｅとが、リブ７３ａ、リブ７３ｂ、リブ７３ｃ、リブ７３ｄおよびリブ７３ｅのそれぞれによって連結されている。
【００９５】
図１４に示す、リブ６３ｃおよびリブ７３ｃを含む切断線Ａ−Ａ´で切断したときの断面を図１５に示す。リブ６３ｃは、側面板１３ｃと一体化される。リブ６３ｃの端面６５ａは、リブ６１の所定箇所における端面と同一平面とされている。リブ６３ｃにおいて、リブ６１の上面から突出する部材によって傾斜面６５ｂが形成される。
【００９６】
リブ６３ｃと略対向する位置にリブ７３ｃが形成されている。リブ７３ｃは、側面板１３ｅと一体化される。リブ７３ｃの端面７５ａは、リブ７１の所定箇所における端面と同一平面とされている。リブ７３ｃにおいて、リブ７１の上面から突出する部材によって傾斜面７５ｂが形成される。
【００９７】
電池ブロックが外装下ケース１０ｂに収納されると、端面６５ａは、電池ホルダ１８ａにおける境界面３６ｃおよび境界面３６ｄに当接する。ここで、リブ６３ｃは側面板１３ｃと連結されているため変形しない。したがって、端面６５ａを電池ホルダ１８ａに当接することで、電池ホルダ１８ａを正確に位置決めできる、電池ボルダ１８ａの位置がずれることを防止できる。
【００９８】
さらに、端面６５ａは、境界面３６ｃおよび境界面３６ｄに当接する。境界面は、隣接する電池セル収納部の端面の境界付近の領域である。したがって、側面板１３ｃに加わった衝撃は、リブ６３ｃを介して境界面３６ｃおよび境界面３６ｄに伝播されるが、電池セル収納部１９の端面３１に直接、伝播されない。したがって、電池セル収納部１９に収納されている電池セル１６に対して、衝撃が直接、伝播されることを防止できる。
【００９９】
リブ６３ａの端面は、電池セル収納部１６ａの端面３１ａの端部と、電池セル収納部１６ｂの端面３１ｂの端部とに当接する。リブ６３ｂの端面は、境界面３６ａおよび境界面３６ｂに当接する。リブ６３ｄの端面は、境界面３６ｅおよび境界面３６ｆに当接する。リブ６３ｅの端面は、電池セル収納部１６ｇの端面３１ｇの端部と、電池セル収納部１６ｈの端面３１ｈの端部とに当接する。
【０１００】
図１５に示すリブ７３ｃの端面７５ａは、電池セル収納部１９ｋの端面と、電池セル収納部ｍの端面との間の境界面に当接する。さらに、端面７５ａは、電池セル収納部１９ｌの端面と、電池セル収納部ｎの端面との間の境界面に当接する。他のリブ７３の端面が、電池ホルダ１８ｂにおける、隣接する電池セル収納部の境界付近である境界面に当接する。
【０１０１】
図１４において、リブ６１およびリブ７１を含む切断線Ｂ−Ｂ´で切断したときの断面を図１６に示す。側面板１３ｃと略平行になるようにして、リブ６１が底面板１３ａから植立されている。リブ６１と側面板１３ｃとの間には間隙Ｓ１が形成されている。リブ６１が、例えば、間隙Ｓ１に向かう方向に傾くように弾性変形することで外部からの衝撃が吸収される。リブ７１が底面板１３ａから植立されている。リブ７１と側面板１３ｅとの間には間隙Ｓ２が形成されている。リブ７１が、間隙Ｓ２に向かう方向に弾性変形することで外部からの衝撃が吸収される。
【０１０２】
図１４において、切欠６２ｃおよび切欠７２ｃを含む切断線Ｃ−Ｃ´で切断したときの断面を図１６に示す。切欠６２は、電池ホルダ１８ａが外装下ケース１０ｂに収納された際に、電池セル収納部の端面に形成される開口が配される位置の近傍に形成される。例えば、切欠６２ｃは、電池セル収納部１９ｅの端面３１ｅに形成される開口および電池セル収納部１９ｆの端面３１ｆに形成される開口と対向する位置に形成される。このため、例えば、端面３１ｅに形成される開口および端面３１ｆに形成される開口は、リブ６１の端面と当接しない。
【０１０３】
リブ６１に切欠６２を設けることで、切欠６２の周辺においてリブ６１が弾性変形し易くなる。リブ６１が弾性変形し易くなることで、外部からの衝撃を効果的に減衰できる。さらに、射出成形時に金型が破損することを防止でき、金型構造の強度を向上させることができる。さらに、端面３１に形成される開口と切欠６２を対向させることで、リブ６１が弾性変形した際に、リブ６１の端面が開口付近に接触しない。これにより、端面３１の開口から露出する正極端子部または負極端子部の保護を図ることができる。
【０１０４】
＜３．第３の実施形態＞
次に第３の実施形態について説明する。図１８は、第３の実施形態における電池パック３の構成の一例を説明するための分解斜視図である。第３の実施形態における電池パック３の構成において、上述した電池パック２と同様の構成については同一の符号を付し、重複した説明を省略する。
【０１０５】
電池パック３の外装下ケース１０ｂには、上述したリブ６１が形成される。リブ６１に複数の切欠６２が形成される。リブ６１の所定箇所に、電池ホルダ１８ａの位置決め用のリブ６３が複数、形成される。さらに、電池パック２と同様に、外装下ケース１０ｂには、リブ７１が形成される。リブ７１には複数の切欠７２が形成される。リブ７１の所定箇所に、電池ホルダ１８ｂの位置決め用のリブ７３が複数、形成される。外装下ケース１０ｂには突起１４は形成されない。
【０１０６】
すなわち、リブ６１、切欠６２、リブ６３等によって電池セル１６の保護を図りつつ、電池パック３の耐衝撃性を向上させることができる。なお、電池パック３において、例えば電池ホルダ１８ａの底面部３０ｃに、電池パック１と同様にしてリブ４０等が形成されてもよい。
【０１０７】
＜４．変形例＞
以上、本開示の複数の実施形態について説明したが、本開示は上述した実施形態に限られることはなく、種々の変形が可能である。例えば、上述した実施形態では、電池ホルダ１８ａおよび電池ホルダ１８ｂのそれぞれの底面部にリブ４０等が形成されるものとして説明したが、上面部にリブが形成されてもよい。そして、外装上ケース１０ａの上面板１１ａの内面に、複数の突起からなる突起部が形成されてもよい。さらに、外装上ケース１１ａに、リブ６１、切欠６２、リブ６３等と同様の形状が形成されるようにしてもよい。電池セルは、円筒形状に限らず略正六角柱状でもよい。それに応じて、電池セル収納部の形状が、中空の略正六角柱状でもよい。電池セル収納部の１側面同士が接触し、電池セル収納部間に上述したリブが形成されるようにしてもよい。
【０１０８】
外装下ケースの底面板と電池セル収納部の各端面が対向するように電池ブロックが収納されてもよい。すなわち、電池セルの長手方向が植立されるように、電池ブロックが外装上ケースおよび外装下ケースに収納されてもよい。このような場合では、隣接する電池セル収納部の端面の境界領域（境界面）に、リブ４０等と略同一形状のリブを形成するようにしてもよい。
【０１０９】
なお、リブ４０等の形状は、上述した形状に限られない。弾性変形する変形部と、変形部が弾性変形するための空間が形成されていればよい。例えば、図１９に示すように、電池ホルダ１８ａにおける、電池セル収納部１９ｂと電池セル収納部１９ｄとの間に、連結部８１および中空部８２が形成される。連結部８１は、電池セル収納部１９ｂと電池セル収納部１９ｄとの間を連結する部材である。例えば、外部から加わった衝撃は、突起１４０ａおよび突起１４０ｂを介して連結部８１に伝播される。連結部８１が中空部８２に向かって弾性変形することで、衝撃が吸収されるようにしてもよい。
【０１１０】
なお、外装上ケース１０ａまたは外装下ケース１０ｂの内面の少なくとも一方に変形部を設けてもよい。例えば、図２０に示すように、電池セル収納部１９ｂの周面と電池セル収納部１９ｄの周面との間に、突部９１が形成される。底面板１３ａにおいて、突部９１が形成される位置と対応する位置に、突条部９２および突条部９３が形成される。突条部９２の端面と突条部９３の端面とによって、対向間隙９４が形成される。突条部９２および突条部９３の内部には、対向間隙９４と連通する空洞部９５が形成される。電池ホルダ１８ａが収納されると、突部９１の周面と、突条部９２および突条部９３の周面とが当接する。
【０１１１】
例えば、外部からの衝撃が底面板１３ａに加わる。突条部９２および突条部９３は、突部９１により規制され、空洞部９５に向かう方向に弾性変形する。このように、弾性変形する変形部が外装下ケース１０ｂに形成されるようにしてもよい。外装上ケース１０ａに変形部が形成されるようにしてもよい。図２０に示した構成が、側面部に形成されるようにしてもよい。
【０１１２】
本開示の内容は、電池パックのみとして実現されるものではない。例えば、電池ホルダ単体や電池ホルダと外装ケースとからなる電池収納ケースによっても、本開示の内容を実現できる。
【０１１３】
なお、上述した実施形態および変形例における構成および処理は、技術的矛盾が生じない範囲で相互に組み合わせることができる。
【０１１４】
なお、本開示は、以下の構成をとることもできる。
（１）
電池セルを収納する電池セル収納部が複数形成され、
一の前記電池セル収納部の周面と他の前記電池セル収納部の周面との間に、外部からの衝撃が伝播されることに応じて弾性変形する変形部および前記変形部が弾性変形するための空間部が形成される電池ホルダ。
（２）
前記変形部は、前記電池セル収納部と略平行に形成される突条とされ、前記突条の内側に前記空間部が形成される（１）に記載の電池ホルダ。
（３）
前記変形部は、前記一の電池セル収納部の周面から突出し、前記一の電池セル収納部と略平行に形成される第１の突条と、前記他の電池セル収納部の周面から突出し、前記他の電池セル収納部と略平行に形成される第２の突条とからなり、
前記空間部は、前記第１の突条の端面と前記第２の突条の端面とにより形成される対向間隙と、前記第１および前記第２の突条の内側に形成され、前記対向間隙と連通する空洞部とからなる（１）に記載の電池ホルダ。
（４）
電池セルを収納する電池セル収納部が複数形成され、一の前記電池セル収納部の周面と他の前記電池セル収納部の周面との間に、外部からの衝撃が伝播されることに応じて弾性変形する変形部および前記変形部が弾性変形するための空間部が形成される電池ホルダと、
前記電池ホルダが収納され、前記変形部と当接する突起が内面に形成されるケースと
を有する電池収納ケース。
（５）
前記変形部は、前記電池セル収納部と略平行に形成される突条とされ、前記突条の内側に前記空間部が形成される（４）に記載の電池収納ケース。
（６）
前記変形部は、前記一の電池セル収納部の周面から突出し、前記一の電池セル収納部と略平行に形成される第１の突条と、前記他の電池セル収納部の周面から突出し、前記他の電池セル収納部と略平行に形成される第２の突条とからなり、
前記空間部は、前記第１の突条の端面と前記第２の突条の端面とにより形成される対向間隙と、前記第１および前記第２の突条の内側に形成され、前記対向間隙と連通する空洞部とからなる（４）に記載の電池収納ケース。
（７）
前記第１の突条と当接するように複数の突起が整列して形成され、前記第２の突条と当接するように複数の突起が整列して形成される（６）に記載の電池収納ケース。
（８）
前記第１の突条、前記第２の突条および前記突起はそれぞれ傾斜部を有し、前記第１の突条の傾斜部と前記複数の突起のそれぞれの傾斜部とが当接し、前記第２の突条の傾斜部と前記突起のそれぞれの傾斜部とが当接する（７）に記載の電池収納ケース。
（９）
前記一の電池セル収納部および前記他の電池セル収納部の一端に、開口を有する端面がそれぞれ形成され、
前記ケースに、前記ケースの所定の側面板と略平行に壁部が植立され、
前記壁部における、前記開口の位置と対応する位置に、切欠が形成される（４）乃至（８）のいずれか１に記載の電池収納ケース。
（１０）
前記壁部の所定箇所と前記所定の側面板とを一体化する位置決め部が形成され、
前記一の電池セル収納部および前記他の電池セル収納部のそれぞれの端面の境界領域に、前記位置決め部の端面が当接する（９）に記載の電池収納ケース。
（１１）
電池セルを収納する電池セル収納部が複数形成される電池ホルダと、
前記電池ホルダが収納されるケースと、
を有し、
前記電池セル収納部の一端に開口を有する端面がそれぞれ形成され、
前記ケースに、前記ケースの所定の側面板と略平行とされる壁部が植立され、
前記壁部における、前記開口の位置と対応する位置に、切欠が形成される電池収納ケース。
（１２）
前記壁部の所定箇所と前記所定の側面板とを一体化する位置決め部が形成され、
一の前記電池セル収納部および他の前記電池セル収納部のそれぞれの端面の境界領域に、前記位置決め部の端面が当接する（１１）に記載の電池収納ケース。
（１３）
複数の電池セルと、
前記電池セルを収納する電池セル収納部が複数形成され、一の前記電池セル収納部の周面と他の前記電池セル収納部の周面との間に、外部からの衝撃が伝播されることに応じて弾性変形する変形部および前記変形部が弾性変形するための空間部が形成される電池ホルダと、
前記電池ホルダが収納され、前記変形部と当接する突起が内面に形成される電池収納ケースと
を有する電池パック。
（１４）
（１３）に記載の電池パックが、再生可能なエネルギーから発電を行う発電装置によって充電される蓄電システム。
（１５）
（１３）に記載の電池パックに接続される電子機器に電力を供給する蓄電システム。
（１６）
（１３）に記載の電池パックから電力の供給を受ける電子機器。
（１７）
（１３）に記載の電池パックから電力の供給を受けて車両の駆動力に変換する変換装置と、前記電池パックに関する情報に基づいて、車両制御に関する情報処理を行う制御装置とを有する電動車両。
（１８）
他の機器とネットワークを介して信号を送受信する電力情報送受信部とを備え、
前記電力情報送受信部が受信した情報に基づき、（１３）に記載の電池パックの充放電制御を行う電力システム。
（１９）
（１３）に記載の電池パックから電力の供給を受け、または、発電装置または電力網から前記蓄電システムに電力を供給する電力システム。
【０１１５】
＜５．応用例＞
以下、電池パックの応用例について説明する。但し、電池パックの応用例は、以下に説明する応用例に限られることはない。
【０１１６】
「応用例としての住宅における蓄電システム」
本開示の電池パックを住宅用の蓄電システムに適用した例について、図２１を参照して説明する。例えば住宅１０１用の蓄電システム１００においては、火力発電１０２ａ、原子力発電１０２ｂ、水力発電１０２ｃ等の集中型電力系統１０２から電力網１０９、情報網１１２、スマートメータ１０７、パワーハブ１０８等を介し、電力が蓄電装置１０３に供給される。これと共に、家庭内発電装置１０４等の独立電源から電力が蓄電装置１０３に供給される。蓄電装置１０３に供給された電力が蓄電される。蓄電装置１０３を使用して、住宅１０１で使用する電力が給電される。住宅１０１に限らずビルに関しても同様の蓄電システムを使用できる。
【０１１７】
住宅１０１には、発電装置１０４、電力消費装置１０５、蓄電装置１０３、各装置を制御する制御装置１１０、スマートメータ１０７、各種情報を取得するセンサ１１１が設けられている。各装置は、電力網１０９および情報網１１２によって接続されている。発電装置１０４として、太陽電池、燃料電池、風車等が利用され、発電した電力が電力消費装置１０５および／または蓄電装置１０３に供給される。電力消費装置１０５は、冷蔵庫１０５ａ、空調装置１０５ｂ、テレビジョン受信機１０５ｃ、風呂１０５ｄ等である。さらに、電力消費装置１０５には、電動車両１０６が含まれる。電動車両１０６は、電気自動車１０６ａ、ハイブリッドカー１０６ｂ、電気バイク１０６ｃである。電動車両１０６は、電動アシスト自転車等でもよい。
【０１１８】
蓄電装置１０３は、二次電池又はキャパシタから構成されている。例えば、リチウムイオン二次電池によって構成されている。リチウムイオン二次電池は、定置型であっても、電動車両１０６で使用されるものでもよい。この蓄電装置１０３に対して、上述した電池パックが適用可能とされる。スマートメータ１０７は、商用電力の使用量を検出し、検出された使用量を、電力会社に送信する機能を備えている。電力網１０９は、直流給電、交流給電、非接触給電の何れか一つまたは複数を組み合わせてもよい。
【０１１９】
各種のセンサ１１１は、例えば人感センサ、照度センサ、物体検知センサ、消費電力センサ、振動センサ、接触センサ、温度センサ、赤外線センサ等である。各種センサ１１１により取得された情報は、制御装置１１０に送信される。センサ１１１からの情報によって、気象の状態、人の状態等が把握されて電力消費装置１０５を自動的に制御してエネルギー消費を最小とすることができる。さらに、制御装置１１０は、住宅１０１に関する情報を、インターネットを介して外部の電力会社等に送信することができる。
【０１２０】
パワーハブ１０８によって、電力線の分岐、直流交流変換等の処理がなされる。制御装置１１０と接続される情報網１１２の通信方式としては、ＵＡＲＴ(Universal Asynchronous Receiver Transmitter:非同期シリアル通信用送受信回路）等の通信インタフェースを使う方法、Ｂｌｕｅｔｏｏｔｈ、ＺｉｇＢｅｅ、Ｗｉ−Ｆｉ等の無線通信規格によるセンサネットワークを利用する方法がある。Ｂｌｕｅｔｏｏｔｈ方式は、マルチメディア通信に適用され、一対多接続の通信を行うことができる。ＺｉｇＢｅｅは、ＩＥＥＥ(Institute of Electrical and Electronics Engineers) ８０２．１５．４の物理層を使用するものである。ＩＥＥＥ８０２．１５．４は、ＰＡＮ(Personal Area Network) またはＷ(Wireless)ＰＡＮと呼ばれる短距離無線ネットワーク規格の名称である。
【０１２１】
制御装置１１０は、外部のサーバ１１３と接続されている。このサーバ１１３は、住宅１０１、電力会社、サービスプロバイダーの何れかによって管理されていてもよい。サーバ１１３が送受信する情報は、たとえば、消費電力情報、生活パターン情報、電力料金、天気情報、天災情報、電力取引に関する情報である。これらの情報は、家庭内の電力消費装置（たとえばテレビジョン受信機）から送受信してもよいが、家庭外の装置（たとえば、携帯電話機等）から送受信してもよい。これらの情報は、表示機能を持つ機器、たとえば、テレビジョン受信機、携帯電話機、ＰＤＡ(Personal Digital Assistants)等に、表示されてもよい。
【０１２２】
各部を制御する制御装置１１０は、ＣＰＵ、ＲＡＭ、ＲＯＭ等で構成され、この例では、蓄電装置１０３に格納されている。制御装置１１０は、蓄電装置１０３、家庭内発電装置１０４、電力消費装置１０５、各種センサ１１１、サーバ１１３と情報網１１２により接続され、例えば、商用電力の使用量と、発電量とを調整する機能を有している。なお、その他にも、電力市場で電力取引を行う機能等を備えていてもよい。
【０１２３】
以上のように、電力が火力１０２ａ、原子力１０２ｂ、水力１０２ｃ等の集中型電力系統１０２のみならず、家庭内発電装置１０４（太陽光発電、風力発電）の発電電力を蓄電装置１０３に蓄えることができる。したがって、家庭内発電装置１０４の発電電力が変動しても、外部に送出する電力量を一定にしたり、または、必要なだけ放電するといった制御を行うことができる。例えば、太陽光発電で得られた電力を蓄電装置１０３に蓄えると共に、夜間は料金が安い深夜電力を蓄電装置１０３に蓄え、昼間の料金が高い時間帯に蓄電装置１０３によって蓄電した電力を放電して利用するといった使い方もできる。
【０１２４】
なお、この例では、制御装置１１０が蓄電装置１０３内に格納される例を説明したが、スマートメータ１０７内に格納されてもよいし、単独で構成されていてもよい。さらに、蓄電システム１００は、集合住宅における複数の家庭を対象として用いられてもよいし、複数の戸建て住宅を対象として用いられてもよい。
【０１２５】
「応用例としての車両における蓄電システム」
本開示を車両用の蓄電システムに適用した例について、図２２を参照して説明する。図２２に、本開示が適用されるシリーズハイブリッドシステムを採用するハイブリッド車両の構成の一例を概略的に示す。シリーズハイブリッドシステムはエンジンで動かす発電機で発電された電力、あるいはそれをバッテリーに一旦貯めておいた電力を用いて、電力駆動力変換装置で走行する車である。
【０１２６】
このハイブリッド車両２００には、エンジン２０１、発電機２０２、電力駆動力変換装置２０３、駆動輪２０４ａ、駆動輪２０４ｂ、車輪２０５ａ、車輪２０５ｂ、バッテリー２０８、車両制御装置２０９、各種センサ２１０、充電口２１１が搭載されている。バッテリー２０８に対して、上述した本開示の蓄電システムが適用される。蓄電システムが１または複数適用される。
【０１２７】
ハイブリッド車両２００は、電力駆動力変換装置２０３を動力源として走行する。電力駆動力変換装置２０３の一例は、モータである。バッテリー２０８の電力によって電力駆動力変換装置２０３が作動し、この電力駆動力変換装置２０３の回転力が駆動輪２０４ａ、２０４ｂに伝達される。なお、必要な個所に直流−交流（ＤＣ−ＡＣ）あるいは逆変換（ＡＣ−ＤＣ変換）を用いることによって、電力駆動力変換装置２０３が交流モータでも直流モータでも適用可能である。各種センサ２１０は、車両制御装置２０９を介してエンジン回転数を制御したり、図示しないスロットルバルブの開度（スロットル開度）を制御したりする。各種センサ２１０には、速度センサ、加速度センサ、エンジン回転数センサなどが含まれる。
【０１２８】
エンジン２０１の回転力は発電機２０２に伝えられ、その回転力によって発電機２０２により生成された電力をバッテリー２０８に蓄積することが可能である。
【０１２９】
図示しない制動機構によりハイブリッド車両が減速すると、その減速時の抵抗力が電力駆動力変換装置２０３に回転力として加わり、この回転力によって電力駆動力変換装置２０３により生成された回生電力がバッテリー２０８に蓄積される。
【０１３０】
バッテリー２０８は、ハイブリッド車両の外部の電源に接続されることで、その外部電源から充電口２１１を入力口として電力供給を受け、受けた電力を蓄積することも可能である。
【０１３１】
図示しないが、二次電池に関する情報に基いて車両制御に関する情報処理を行なう情報処理装置を備えていてもよい。このような情報処理装置としては、例えば、電池の残量に関する情報に基づき、電池残量表示を行う情報処理装置などがある。
【０１３２】
なお、以上は、エンジンで動かす発電機で発電された電力、或いはそれをバッテリーに一旦貯めておいた電力を用いて、モータで走行するシリーズハイブリッド車を例として説明した。しかしながら、エンジンとモータの出力がいずれも駆動源とし、エンジンのみで走行、モータのみで走行、エンジンとモータ走行という３つの方式を適宜切り替えて使用するパラレルハイブリッド車に対しても本開示は有効に適用可能である。さらに、エンジンを用いず駆動モータのみによる駆動で走行する所謂、電動車両に対しても本開示は有効に適用できる。
【符号の説明】
【０１３３】
１、２、３・・・電池パック
１０ａ・・・外装上ケース
１０ｂ・・・外装下ケース
１３ａ・・・底面板
１３ｂ、１３ｃ、１３ｄ、１３ｅ・・・側面板
１４・・・突起
１６・・・電池セル
１８ａ、１８ｂ・・・電池ホルダ
１９・・・電池セル収納部
３１・・・端面
４０、４１、４２・・・リブ
４０ａ、４０ｂ・・・突条部
５０ａ、５０ｂ・・・傾斜部
５０ｃ・・・対向間隙
５０ｄ・・・空洞部
１４０ａ・・・突起
１４０ｂ・・・傾斜部
６１・・・リブ
６２・・・切欠
６３・・・位置決め用のリブ
【図１】
0006015831.tif 000002
【図２】
0006015831.tif 000003
【図３】
0006015831.tif 000004
【図４】
0006015831.tif 000005
【図５】
0006015831.tif 000006
【図６】
0006015831.tif 000007
【図７】
0006015831.tif 000008
【図８】
0006015831.tif 000009
【図９】
0006015831.tif 000010
【図１０】
0006015831.tif 000011
【図１１】
0006015831.tif 000012
【図１２】
0006015831.tif 000013
【図１３】
0006015831.tif 000014
【図１４】
0006015831.tif 000015
【図１５】
0006015831.tif 000016
【図１６】
0006015831.tif 000017
【図１７】
0006015831.tif 000018
【図１８】
0006015831.tif 000019
【図１９】
0006015831.tif 000020
【図２０】
0006015831.tif 000021
【図２１】
0006015831.tif 000022
【図２２】
0006015831.tif 000023